(57)【特許請求の範囲】
【請求項１】
センター装置と、それぞれがアドレスを有する複数のステータスモニタユニットが伝送路を介して接続されている状態において、前記各ステータスモニタユニットの或る１台から、このユニットに割り当てられたアドレスを、前記センター装置に伝送する第１の段階と、
前記センター装置から伝送された、前記１台のステータスモニタユニットのアドレスを他の前記ステータスモニタユニットが受信する第２の段階と、
前記１台のステータスモニタユニットのアドレスが前記他のステータスモニタユニットの自己アドレスと一致するか、前記他のステータスモニタユニットが判断し、一致するとき、アドレス重複を前記センター装置に伝送する第３の段階と、
前記アドレス重複が報知されたとき、前記１台のステータスモニタユニットに、前記センター装置がアドレス設定エラーを報知する第４の段階とを、
具備するステータスモニタユニットのアドレスチェック方法。
【請求項２】
請求項１記載のステータスモニタユニットのアドレスチェック方法において、
第２の段階では、前記センター装置は、全ての前記ステータスモニタユニットに前記１台のステータスモニタユニットのアドレスを送り、前記１台のステータスモニタユニットは、第３の段階を無効とするステータスモニタユニットのアドレスチェック方法。
【請求項３】
請求項１記載のステータスモニタユニットのアドレスチェック方法において、
第４の段階では、前記センター装置が前記重複アドレスを持つステータスモニタユニットに前記アドレス設定エラーを報知し、前記１台のステータスモニタユニット以外の重複アドレスを持つ前記ステータスモニタユニットが、前記アドレス設定エラーを無視するアドレスチェック方法。
【請求項４】
センター装置と、それぞれがアドレスを有する複数のステータスモニタユニットとが、伝送路を介して接続されたステータスモニタシステムにおいて、
前記各ステータスモニタユニットは、自己が有するアドレスを送信元アドレスとして確認コマンドを前記センター装置に前記伝送路を介して送信する手段を、有し、
前記センター装置は、前記確認コマンドに応動して、前記各ステータスモニタユニットに対して前記送信元アドレスを含むアドレス重複確認コマンドを前記伝送路を介して送信する手段を有し、
前記各ステータスモニタユニットは、前記アドレス重複確認コマンドに応動して、これに含まれる前記送信元アドレスが自己に割り当てられたアドレスに一致したとき、前記センター装置にアドレス重複有りコマンドを送信する手段を、有し、
前記各ステータスモニタユニットは、前記確認コマンドを送信したとき、前記アドレス重複有りコマンドの送信手段を無効とする手段を有し、
前記センター装置は、前記アドレス重複有りコマンドに応動して、前記送信元アドレスを自己アドレスとする前記ステータスモニタユニットに、エラーコマンドを送信する手段を、有し、
前記各ステータスモニタユニットは、前記エラーコマンドを受信したとき、エラー報知する報知手段を有し、かつ前記アドレス重複有りコマンドを送信したとき、前記エラーコマンドを無効にする手段を有する
ステータスモニタシステム。
【発明の詳細な説明】
【０００１】
【発明の属する技術分野】
本発明は、双方向共同受信システムにおいて、このシステムを構成している各機器の動作状態を監視するステータスモニタシステム及びこのシステムの各ステータスモニタユニットに割り当てられたアドレスをチェックする方法に関する。
【０００２】
【従来の技術】
ステータスモニタシステムでは、双方向共同受信システムのヘッドエンド側にセンター装置が設けられ、双方向共同受信システムの伝送路に存在する複数の例えば中継増幅器にステータスモニタユニットが設けられている。ステータスモニタユニットは、これが設けられている中継増幅器の動作状態を監視し、その監視結果をセンター装置に伝送する。この伝送は、センター装置が各ステータスモニタユニットを順に呼び出した際に行われる。この呼出を行うために、各ステータスモニタユニットには、異なるアドレスが割り当てられている。センター装置が、呼び出したいステータスモニタユニットのアドレスを伝送路に送信すると、この送信されたアドレスを有するステータスモニタユニットが、上述した監視結果を送信する。
【０００３】
【発明が解決しようとする課題】
各ステータスモニタユニットに割り当てられたアドレスは、センター装置と各ステータスモニタユニットとが確実に通信を行うために必須のものであり、同じアドレスが複数のステータスモニタユニットに重複して割り当てられていてはならない。
【０００４】
各ステータスモニタユニットへのアドレスの設定は、予め作成されたステータスモニタシステムの系統図を参照して行う。しかし、系統図に誤りがある場合や、系統図が正しくても、アドレスの設定を間違えた場合には、重複したアドレスを持つステータスモニタユニットが出現する可能性がある。ステータスモニタシステムが実際に稼働を開始した後には、このようなアドレスの重複が、どのステータスモニタユニット間で生じているか発見するのは困難である。
【０００５】
本発明は、アドレスの重複設定を容易にチェックすることができるチェック方法及びアドレスの重複設定を容易にチェックすることができるステータスモニタシステムを提供することを目的とする。
【０００６】
【課題を解決するための手段】
本発明によるステータスモニタユニットのアドレスチェック方法では、第１の段階として、センター装置と、それぞれがアドレスを有する複数のステータスモニタユニットが伝送路を介して接続されている状態において、前記各ステータスモニタユニットの或る１台から、このユニットに割り当てられたアドレスを、前記センター装置に伝送する。ステータスモニタユニットは、いずれも双方向共同受信システムの伝送路中に介在している機器、例えば中継増幅器に設けられている。第２の段階として、前記センター装置から伝送された、前記１台のステータスモニタユニットのアドレスを他の前記ステータスモニタユニットが受信する。第３の段階として、前記１台のステータスモニタユニットのアドレスが前記他のステータスモニタユニットの自己アドレスと一致するか、前記他のステータスモニタユニットが判断し、一致するとき、アドレス重複を前記センター装置に伝送する。第４の段階として、前記アドレス重複が報知されたとき、前記１台のステータスモニタユニットに、前記センター装置がアドレス設定エラーを報知する。
【０００７】
このアドレスチェック方法では、或るステータスモニタユニットのアドレスが、センター装置を介して他のステータスモニタユニットに伝送され、他のステータスモニタユニットいずれか１台のアドレスと一致しているか判定され、一致していると、センター装置を介して前記或るステータスモニタユニットに報知されるので、アドレスが重複しているか否かを即座にチェックすることができる。
【０００８】
第２の段階では、前記センター装置は、全ての前記ステータスモニタユニットに前記１台のステータスモニタユニットのアドレスを送ることもできる。但し、前記１台のステータスモニタユニットは、第３の段階を無効とする。このようにすれば、アドレスを送信してきたステータスモニタユニットを他のユニットと区別して処理する必要がなく、センター装置の負担が軽減する。
【０００９】
第４の段階では、前記センター装置が前記重複アドレスを持つ複数のステータスモニタユニットに前記アドレス設定エラーを報知することができる。但し、前記１台のステータスモニタユニット以外の重複アドレスを持つ前記ステータスモニタユニットが、前記アドレス設定エラーを無視する。このようにすると、センター装置は、重複したアドレスを持つ複数のステータスモニタユニットを、先にアドレスを取得していたものと、後でアドレスを取得したものとに区別してアドレス設定エラーを報知する必要がなく、単にアドレス設定エラーを報知すればよいので、センター装置の負担が軽減する。
【００１０】
本発明によるステータスモニタシステムは、センター装置と、それぞれがアドレスを有する複数のステータスモニタユニットとが、伝送路を介して接続されている。伝送路は、双方向共同受信システムの伝送路であり、各ステータスモニタユニットは、伝送路に接続されている双方向共同受信システムの構成機器、例えば中継増幅器に設けられている。前記各ステータスモニタユニットは、自己が有するアドレスを送信元アドレスとして確認コマンドを前記センター装置に前記伝送路を介して送信する手段を有している。前記センター装置は、前記確認コマンドに応動して、前記各ステータスモニタユニットに対して前記送信元アドレスを含むアドレス重複確認コマンドを前記伝送路を介して送信する手段を有している。前記各ステータスモニタユニットは、前記アドレス重複確認コマンドに応動して、これに含まれる前記送信元アドレスが自己に割り当てられたアドレスに一致したとき、前記センター装置にアドレス重複有りコマンドを送信する手段を、有している。前記各ステータスモニタユニットは、前記確認コマンドを送信したとき、前記アドレス重複有りコマンドの送信手段を無効とする手段を有している。前記センター装置は、前記アドレス重複有りコマンドに応動して、前記送信元アドレスを自己アドレスとする前記ステータスモニタユニットに、エラーコマンドを送信する手段を有している。前記各ステータスモニタユニットは、前記エラーコマンドを受信したとき、エラー報知する報知手段を有し、かつ前記アドレス重複有りコマンドを送信したとき、前記エラーコマンドを無効にする手段を有している。
【００１１】
このステータスモニタシステムでは、或るステータスモニタユニットのアドレスが、他のステータスモニタユニットのアドレスと重複していないかチェックする場合、或るステータスモニタユニットから、このユニットが有するアドレスを送信元アドレスとして確認コマンドが前記センター装置に送信される。センター装置は、この送信元アドレスを有する他のステータスモニタユニットが存在するか否かをチェックするために、前記各ステータスモニタユニットに対して前記送信元アドレスを含むアドレス重複確認コマンドを前記伝送路を介して送信する。各ステータスモニタユニットは、アドレス重複確認コマンドに含まれていた送信元アドレスが、自己のアドレスと一致しているか判断し、一致している場合には、アドレス重複有りコマンドをセンター装置に伝送する。但し、上述した或るステータスモニタユニットにも、このアドレス重複確認コマンドが伝送されてくるが、この場合、アドレスは当然に重複するので、この或るステータスモニタユニットでは、アドレス重複有りコマンドを送信しない。センター装置にアドレス重複有りコマンドが送信されると、センター装置は、前記送信元アドレスを持つステータスモニタユニット（前記或るステータスモニタユニットと、これと同じアドレスを持ちアドレス重複有りコマンドを送信したステータスモニタユニット）にアドレス設定エラーコマンドを送信する。或るステータスモニタユニットでは、このアドレス設定エラーコマンドに応動して、エラー報知手段が作動し、或るステータスモニタユニットに設定されたアドレスが他のステータスモニタユニットによって使用されていることが判明する。但し、アドレス重複有りコマンド送信したステータスモニタユニットでは、アドレス設定エラーコマンドを無効として、エラー報知手段を作動させない。
【００１２】
【発明の実施の形態】
本発明の１実施形態のステータスモニタシステムは、図１（ａ）乃至（ｄ）に示すように、センター装置２を有している。センター装置２は、例えばパーソナルコンピュータとモデムとを有し、双方向共同受信システムのヘッドエンド３側に設けられている。このセンター装置２は、双方向共同受信システムの伝送路４に接続されている。この伝送路４は、幹線４ａと、複数の分岐線４ｂ、４ｃ・・・とからなり、幹線４中には複数の中継増幅器、例えば双方向幹線分岐増幅器６ａ、６ｂ、６ｃ・・・・が所定の間隔ごとに設けられている。また、これら双方向幹線分岐増幅器６ａ、６ｂ、６ｃの分岐端子にそれぞれ分岐線４ｂ、４ｃ、４ｄ・・・が接続され、これら分岐線４ｂ、４ｃ、４ｄ・・・中に中継増幅器、例えば双方向分岐増幅器６ｄ、６ｅ・・・が所定間隔ごとに設けられている。図示していないが、双方向分岐増幅器６ｄ、６ｅ・・・の分岐端子に枝線が接続され、これら枝線中に複数の分岐器が設けられ、これら分岐器が各端末装置に接続されている。
【００１３】
これら双方向幹線分岐増幅器６ａ、６ｂ、６ｃ、双方向分岐増幅器６ｄ、６ｅには、ステータスモニタユニット８ａ、８ｂ、８ｃ、８ｄ、８ｅが設けられている。なお、全ての双方向幹線分岐増幅器６ａ、６ｂ、６ｃ、双方向分岐増幅器６ｄ、６ｅにステータスモニタユニットを設ける必要はなく、所望のものだけにステータスモニタユニットを設けることもできる。
【００１４】
ステータスモニタユニット８ａ、８ｂ、８ｃ、８ｄ、８ｅは、これが設けられている増幅器の動作状態を監視し、その監視結果をセンター装置２に伝送するためのもので、監視用の各種センサと、これらセンサからの信号が入力される、例えばＣＰＵからなる制御手段と、ＣＰＵからの信号で上り搬送波信号を変調して、上り信号を生成し、これを伝送路に伝送する送信機と、センター装置２から伝送路を介して伝送された下り信号を受信復調して、ＣＰＵに供給する受信機とを、有している。無論、上り信号と下り信号とでは、周波数帯が異なっている。
【００１５】
各ステータスモニタユニットとセンター装置２とがポーリング方式で通信を行うために、各ステータスモニタユニットには、アドレススイッチが設けられている。このアドレススイッチによって、このステータスモニタユニットに割り当てられたアドレスが設定記憶されている。センター装置２は、各ステータスモニタユニットのうち所望のステータスモニタユニットを呼び出す場合、相手先のアドレスとコマンドとを送信する。また、各ステータスモニタユニットは、センター装置２から送信されたアドレスが自己のアドレスに一致すると、自己宛の呼出であると判断し、送信されたコマンドに対応する処理を実行する。例えば、上述した監視データの送信を指示するコマンドであると、監視データを送信する。このとき、いずれのステータスモニタユニットからの送信であるかをセンター装置２が認識するように、送信元アドレスとして自己のアドレスを送信する。このようにアドレスは、センター装置２と各ステータスモニタユニットとのデータ伝送に重要な役割を果たしており、重複することは許されない。
【００１６】
しかし、新たな双方向共同受信システムが設置された場合、これに含まれているステータスモニタユニットのアドレスを設定する必要があるが、このときに誤って既に他のステータスモニタユニットに割り当てられているアドレスを設定することがある。或いは、既存の双方向共同受信システムにおいて、新たに増設が行われ、ステータスモニタユニットも増設された場合に、アドレスを新たに設定するが、このとき誤ってアドレスの設定が行われる可能性がある。
【００１７】
そこで、各ステータスモニタユニット８ａ、８ｂ、８ｃ、８ｄ、８ｅには、アドレス設定確認スイッチを設けてある。これらステータスモニタユニット８ａ、８ｂ、８ｃ、８ｄ、８ｅのうち自己のアドレスが他のステータスモニタユニットのアドレスと重複していないかチェックする必要のあるステータスモニタユニット、例えば８ｅのアドレス設定確認スイッチを操作すると、図１（ａ）に示すように確認コマンドがセンター装置２に送信される。この確認コマンドのフォーマットは、図２（ａ）に示すように、自己アドレスと確認コマンドを含むもので、この他にヘッダーとＢＣＣ（データ誤りチェック用コード）とを含んでいる。
【００１８】
この確認コマンドを受けたセンター装置２は、図１（ｂ）に示すように、各ステータスモニタユニット８ａ、８ｂ、８ｃ、８ｄ、８ｅに対して重複確認コマンドを送信する。この重複確認コマンドは、図２（ｂ）に示すように、ヘッダーとＢＣＣとの他に、一斉アドレスとアドレス重複確認コマンドとを含んでいる。このアドレス重複確認コマンドには、確認コマンドを送信してきたステータスモニタユニットのアドレス、この場合、８ｅのアドレスが含まれている。
【００１９】
各ステータスモニタユニット８ａ乃至８ｅへの重複確認コマンドの送信は、ポーリング方式ではなく、全てのステータスモニタユニットに一斉に重複確認コマンドを送信する方式によって行われる。
【００２０】
重複確認コマンドが送信された各ステータスモニタユニットは、重複確認コマンドに含まれているアドレス（確認コマンドを送信したステータスモニタユニットのアドレス）が、自己のアドレスに一致しているか判断し、一致していると、重複有りコマンドをセンター装置２に送信する。図１（ｃ）では、ステータスモニタユニット８ｄのアドレスが一致しているので、このステータスモニタユニット８ｄが、重複有りコマンドを送信している。このときのデータフォーマットを図２（ｃ）に示す。このフォーマットでは、ヘッダーとＢＣＣの他に、自己アドレスと重複有りコマンドとが含まれている。
【００２１】
なお、重複確認コマンドは、ステータスモニタユニット８ｅにも送信されるが、ステータスモニタユニット８ｅは、重複確認コマンドには応答しない。
【００２２】
重複有りコマンドを受けたセンター装置２は、図１（ｃ）に示すように、エラーコマンドを送信する。このときのデータフォーマットを図２（ｄ）に示す。このデータフォーマットでは、相手アドレスとエラーコマンドとが送信されている。相手アドレスは、重複しているものであるので、ステータスモニタユニット８ｄ、８ｅに、このエラーコマンドは送信される。しかし、ステータスモニタユニット８ｄは、重複有りコマンドを送信していることに基づき、このエラーコマンドには応答しない。
【００２３】
エラーコマンドを受けたステータスモニタユニット８ｅでは、図示していないエラー報知手段、例えばＬＥＤ等のエラー表示手段またはブザー等のエラー鳴動手段が作動し、アドレス設定エラーを報知する。
【００２４】
センター装置２が全てのステータスモニタユニットにアドレス重複確認コマンドを送信したにも拘わらず、いずれのステータスモニタユニットからも重複有りコマンドが送信されなかった場合、センター装置２は、アドレスの重複がないと判断して、図１（ｄ）に示すように正常コマンドをステータスモニタユニット８ｅに送信する。このデータフォーマットを図２（ｅ）に示す。これもヘッダーとＢＣＣを含む他に、相手アドレスと正常コマンドとを含んでいる。
【００２５】
正常コマンドが送信されたステータスモニタユニット８ｅでは、正常報知手段、例えばＬＥＤ等の正常表示手段またはブザー等の正常鳴動手段が作動し、アドレス設定に重複がないことを報知する。
【００２６】
図３は、各ステータスモニタユニット８ａ乃至８ｅのうちステータスモニタユニット８ｅにおいて、アドレス設定確認スイッチが操作されたことにより行われる処理のフローチャートを示している。図４は、ステータスモニタユニット８ｅ以外のステータスモニタユニットが、アドレス重複確認コマンドを受信したことによって開始する処理のフローチャートを示している。図５は、確認コマンドに応じてセンター装置２が行う処理のフローチャートを示している。
【００２７】
アドレス設定確認スイッチが操作されたことにより、図３に示すようにステータスモニタユニット８ｅは確認コマンドをセンター装置２に送信する（ステップＳ２）。図５に示すように、この確認コマンドを受けたセンター装置２は、重複確認コマンドを各ステータスモニタユニットに送信する（ステップＳ４）。
【００２８】
ステータスモニタユニット８ａ乃至８ｄは、図４に示すように重複確認コマンドに応動して、アドレスが重複しているか判断を行う（ステップＳ６）。このとき、ステータスモニタユニット８ｅは、ステップＳ８に示すように所定時間待機しており、重複確認コマンドには応答しない。この所定時間は、例えばセンター装置が全てのステータスモニタユニットにアドレス重複確認コマンドを送信し、その回答がセンター装置２に送られるのに要する時間である。
【００２９】
各ステータスモニタユニット８ａ乃至８ｄでは、判断の結果、アドレスが重複していると判断すると、重複有りコマンドをセンター装置２に送信し（ステップＳ９）、この処理を終了する。また、重複していないと判断すると、このまま処理を終了する。
【００３０】
一方、センター装置２では、いずれかのステータスモニタユニットから重複有りコマンドが送信されてくるか判断し（ステップＳ１０）、重複有りコマンドが送信されてくると、エラーコマンドを送信し（ステップＳ１２）、この処理を終了する。重複有りコマンドが送信されなければ、正常コマンドを送信し（ステップＳ１３）、この処理を終了する。
【００３１】
一方、ステータスモニタユニット８ｅでは、所定時間の待機後、エラーコマンドを受信したか判断し（ステップＳ１４）、エラーコマンドを受信した場合、重複報知を行い（ステップＳ１６）、この処理を終了する。また、エラーコマンドを受信していない場合、正常コマンドを受信したか判断し（ステップＳ１７）、正常コマンドを受信した場合には、非重複報知を行い（ステップＳ１８）、この処理を終了する。エラーコマンドは、ステータスモニタユニット８ｄにも送信されるが、ステータスモニタユニット８ｄでは、重複有りコマンドを送信していることにより、このエラーコマンドを無視し、なんら処理を行わない。従って、ステータスモニタユニット８ｄにおいて重複表示は行われない。
【００３２】
上記の実施の形態では、ステータスモニタユニットは、それぞれ中継増幅器に設けたが、双方向共同受信システムを構成する他の機器、例えば中継増幅器への電源供給器や分岐器や分配器に設けることもできる。
【００３３】
【発明の効果】
以上のように本発明によれば、ステータスモニタユニットに設定されているアドレスが重複しているか否かを、例えばステータスモニタの設置時に確認することができ、設置後にステータスモニタユニットのアドレス設定ミスをチェックする必要がなく、作業性が向上する。
【図面の簡単な説明】
【図１】本発明の１実施形態におけるステータスモニタシステムのアドレス重複のチェック過程を示す図である。
【図２】図１のステータスモニタシステムにおいて使用される各種データフォーマットを示す図である。
【図３】図１のステータスモニタシステムのステータスモニタユニットで行われる確認コマンドに応動して行われる処理のフローチャートである。
【図４】図１のステータスモニタシステムのステータスモニタユニットで行われる重複確認コマンドに応動して行われる処理のフローチャートである。
【図５】図１のステータスモニタシステムのセンター装置において確認コマンドに応動して行われる処理のフローチャートである。
【符号の説明】
２  センター装置
４  伝送路
８ａ乃至８ｅ  ステータスモニタユニット
【図１】
0003634251.tif 000002
【図２】
0003634251.tif 000003
【図３】
0003634251.tif 000004
【図４】
0003634251.tif 000005
【図５】
0003634251.tif 000006